(57)【特許請求の範囲】
【請求項１】
車両用空気吹き出し装置であって、
空調風を車室内に導く通風路を囲むケーシング（１１）と、
前記通風路において空調風の流れ方向と交わるように並んで配置された複数個のルーバ（２５１ａ〜２５５ａ、２６１ａ〜２６５ａ）と、
前記複数個のルーバからそれぞれ延びる複数個の個別ルーバリンク（８５１〜８５５、８６１〜８６５）と、前記複数個の個別ルーバリンクの端部がそれぞれ移動可能に収容される複数個のガイド溝（８１１〜８１５、８２１〜８２５）が形成されたリンクプレート（８０８）と、前記リンクプレートを駆動するモータ（８０１）と、を有する駆動機構（１４）と、を備え、
前記駆動機構は、
前記複数個のルーバの位置または姿勢を変化させることで、空調風を第１幅に吹き出す第１モードと、空調風を前記第１幅よりも狭い第２幅に吹き出す第２モードと、を切り替え、
前記複数個のガイド溝は、前記複数個のルーバの姿勢を変化させる複数個の傾斜部を有し、
前記リンクプレートの駆動方向において前記複数個の傾斜部は、前記リンクプレートを駆動する際の前記モータのトルクが目標値よりも低くなるように互いにずらして配置されている車両用空気吹き出し装置。
【請求項２】
前記複数個の傾斜部のそれぞれは、前記リンクプレートの中央側から前記リンクプレートの外側へ向かって、前記リンクプレートが前記複数個のルーバを広げるように駆動する際の後端側へ傾斜するように延びている請求項１記載の車両用空気吹き出し装置。
【請求項３】
前記複数個のルーバは、
基準位置（８０７）よりも前記複数個のルーバの並び方向の一方側に配置された複数個の一方側ルーバ（２５１ａ〜２５５ａ）と、
前記基準位置よりも前記複数個のルーバの並び方向の他方側に配置された複数個の他方側ルーバ（２６１ａ〜２６５ａ）と、を有し、
前記複数個のガイド溝は、
前記複数個の一方側ルーバからそれぞれ延びる複数個の一方側個別ルーバリンク（８５１〜８５５）の端部が収容される複数個の一方側ガイド溝（８１１〜８１５）と、
前記複数個の他方側ルーバからそれぞれ延びる複数個の他方側個別ルーバリンク（８６１〜８６５）の端部が収容される複数個の他方側ガイド溝（８２１〜８２５）と、を有し、
前記複数個の一方側ガイド溝の前記複数個の傾斜部は、前記中央側から前記外側へ向かって順に、前記リンクプレートが前記複数個のルーバを広げるように駆動する際の前端側から配置され、
前記複数個の他方側ガイド溝の前記複数個の傾斜部は、前記中央側から前記外側へ向かって順に、前記リンクプレートが前記複数個のルーバを広げるように駆動する際の前端側から配置されている請求項２記載の車両用空気吹き出し装置。
【請求項４】
前記複数個のルーバは、
基準位置（８０７）よりも前記複数個のルーバの並び方向の一方側に配置された複数個の一方側ルーバ（２５１ａ〜２５５ａ）と、
前記基準位置よりも前記複数個のルーバの並び方向の他方側に配置された複数個の他方側ルーバ（２６１ａ〜２６５ａ）と、を有し、
前記駆動機構が前記第２モードから前記第１モードに切り替えるときに、前記複数個の一方側ルーバは、前記中央側から前記外側へ向かって順に駆動を開始すると共に、前記複数個の他方側ルーバは、前記中央側から前記外側へ向かって順に駆動を開始し、
前記駆動機構が前記第１モードから前記第２モードに切り替えるときに、前記複数個の一方側ルーバは、前記外側から前記中央側へ向かって順に駆動を開始すると共に、前記複数個の他方側ルーバは、前記外側から前記中央側へ向かって順に駆動を開始する請求項２記載の車両用空気吹き出し装置。
【請求項５】
前記複数個の一方側ルーバは、前記姿勢が変化したときに互いの接触を回避可能な位置に配置され、
前記複数個の他方側ルーバは、前記姿勢が変化したときに互いの接触を回避可能な位置に配置された請求項３または４に記載の車両用空気吹き出し装置。
【発明の詳細な説明】
【技術分野】
【０００１】
本発明は、車両用空気吹き出し装置に関する。
【背景技術】
【０００２】
特許文献１には、空気通路開閉用ドア等の空調機器を駆動する空調機器駆動装置が開示されている。特許文献１に記載された空調機器駆動装置の空調ユニットは、送風空気が流れる空気通路が形成された空調ケースを有する。空調ケースの空気通路には、冷風と温風との風量割合を調整して車室内への吹出空気温度を所望温度に調整する回転可能なエアミックスドアと、デフロスタ開口部を開閉する回転可能なデフロスタドアと、フェイス開口部を開閉する回転可能なフェイスドアと、フット開口部を開閉する回転可能なフットドアと、が設けられている。
【先行技術文献】
【特許文献】
【０００３】
【特許文献１】特開２００３−３４１２５号公報
【発明の概要】
【発明が解決しようとする課題】
【０００４】
デフロスタ開口部およびフェイス開口部が共通化され、共通化された開口部を１つのドアにより開閉する車両用空気吹き出し装置が検討されている。このような車両用空気吹き出し装置は、例えば、車両用空調装置から出た空調風が通る通風路を囲むケーシングと、通風路に配置されたフラップと、通風路に並んで配置された複数個のルーバと、を備えている。例えば、デフロストモードとフェイスモードとの切り替えは、ルーバリンクと、リンク溝が形成されたリンクプレートと、を有する駆動機構を用い、フラップおよび複数個のルーバのそれぞれの傾き角を変化させることにより行われる。
【０００５】
しかし、駆動装置が複数個のルーバの傾き角を同時に変化させると、複数個のルーバを駆動するために必要なトルクが増大するという点においては、改善の余地がある。
【０００６】
本発明はこのような課題に鑑みてなされたものであり、その目的は、車両用空気吹き出し装置において、複数のルーバを駆動するために必要なトルクを低減することができる車両用空気吹き出し装置を提供することにある。
【課題を解決するための手段】
【０００７】
上記課題を解決するために、本発明に係る車両用空気吹き出し装置（１０）は、空調風を車室内に導く通風路を囲むケーシング（１１）と、前記通風路において空調風の流れ方向と交わるように並んで配置された複数個のルーバ（２５１ａ〜２５５ａ、２６１ａ〜２６５ａ）と、前記複数個のルーバからそれぞれ延びる複数個の個別ルーバリンク（８５１〜８５５、８６１〜８６５）と、前記複数個の個別ルーバリンクの端部がそれぞれ移動可能に収容される複数個のガイド溝（８１１〜８１５、８２１〜８２５）が形成されたリンクプレート（８０８）と、前記リンクプレートを駆動するモータ（８０１）と、を有する駆動機構（１４）と、を備えている。前記駆動機構は、前記複数個のルーバの位置または姿勢を変化させることで、空調風を第１幅に吹き出す第１モードと、空調風を前記第１幅よりも狭い第２幅に吹き出す第２モードと、を切り替える。前記複数個のガイド溝は、前記複数個のルーバの姿勢を変化させる複数個の傾斜部を有している。前記リンクプレートの駆動方向において前記複数個の傾斜部は、前記リンクプレートを駆動する際の前記モータのトルクが目標値よりも低くなるように互いにずらして配置されている。
本発明によれば、リンクプレートの駆動方向において複数個の傾斜部を互いにずらして配置しているので、ルーバリンクの端部が傾斜部に差し掛かることで増大するモータのトルクの重なり合いを低減することができる。従って、モータのトルクを目標値よりも低くなるようにすることができるので、モータの耐久性を高めることができる。
【発明の効果】
【０００８】
本発明によれば、車両用空気吹き出し装置において、複数のルーバを駆動するために必要なトルクを低減することができる車両用空気吹き出し装置を提供することができる。
【図面の簡単な説明】
【０００９】
【図１】車内における車両用空気吹き出し装置１０およびその周辺の構成を示す概略図である。
【図２】車両用空調装置２０の構成を示す図である。
【図３】フェイスモード時における通風路内の風流れを示す断面図である。
【図４】フェイスモード時における通風路内の風流れを示す断面図である。
【図５】デフロストモード時における通風路内の風流れを示す断面図である。
【図６】デフロストモード時における通風路内の風流れを示す断面図である。
【図７】車両用空気吹き出し装置の平面図である。
【図８】車両用空気吹き出し装置の正面図である。
【図９】フェイスモード時における主ケーシングを省略した車両用空気吹き出し装置の背面図である。
【図１０】フェイスモード時およびデフロストモード時におけるルーバクランク８０３、基本ルーバリンク８０７、リンクプレート８０８を表す左側面図である。
【図１１】フェイスモード時およびデフロストモード時におけるフラップクランク８０５、フラップリンク８０６、フラップアーム１２ａ、フラップシャフト２２７を表す左側面図である。
【図１２】デフロストモード時における主ケーシングおよび第１〜第５右個別ルーバアーム８５１ａ〜８５５ａ、第１〜第５左個別ルーバアーム８６１ａ〜８６６ａを省略した車両用空気吹き出し装置の背面図である。
【図１３】リンクプレートの背面図である。
【図１４】ルーバを駆動するために必要なトルクを表すグラフ図である。
【図１５】他のリンクプレートの背面図である。
【図１６】ルーバを駆動するために必要なトルクを表すグラフ図である。
【発明を実施するための形態】
【００１０】
以下、添付図面を参照しながら本発明の実施形態について説明する。説明の理解を容易にするため、各図面において同一の構成要素に対しては可能な限り同一の符号を付して、重複する説明は省略する。
【００１１】
まず、図１および図２を参照しながら、本実施形態に係る車両用空気吹き出し装置および車両用空調装置について説明する。図１に示す車両用空気吹き出し装置１０は、車両に搭載され、車両用空調装置２０の空調ケース２１から出た空調風を吹出口１１ａから車室内に導く装置である。
【００１２】
車両用空調装置２０は、車室内の前席の前方に配置されたインストルメントパネル１の内部に配置されている。図２に示すように、車両用空調装置２０は、外殻を構成する空調ケース２１を有する。この空調ケース２１は、空調対象空間である車室内へ空気を導く空気通路を構成している。
【００１３】
空調ケース２１の空気流れ最上流部には、車室内空気（内気）を吸入する内気吸入口２２と車室外空気（外気）を吸入する外気吸入口２３とが形成されると共に、各吸入口２２、２３を選択的に開閉する吸入口開閉ドア２４が設けられている。これら内気吸入口２２、外気吸入口２３、および吸入口開閉ドア２４は、空調ケース２１内への吸入空気を内気および外気に切り替える内外気切替手段を構成している。なお、吸入口開閉ドア２４は、図示しない制御装置から出力される制御信号により、その作動が制御される。
【００１４】
吸入口開閉ドア２４の空気流れ下流側には、車室内へ空気を送風する送風手段としての送風機２５が配置されている。送風機２５の空気流れ下流側には、送風機２５により送風された空調風を冷却する蒸発器２６が配置されている。蒸発器２６は、その内部を流通する冷媒と空調風とを熱交換させる熱交換器であり、図示しない圧縮機、凝縮器、膨張弁等と共に蒸気圧縮式の冷凍サイクルを構成するものである。
【００１５】
蒸発器２６の空気流れ下流側には、蒸発器２６にて冷却された空気を加熱するヒータコア２７が配置されている。本実施形態のヒータコア２７は、車両エンジンの冷却水を熱源として空気を加熱する熱交換器である。また、蒸発器２６の空気流れ下流側には、蒸発器２６通過後の空気を、ヒータコア２７を迂回して流す冷風バイパス通路２８が形成されている。
【００１６】
ここで、ヒータコア２７および冷風バイパス通路２８の空気流れ下流側にて混合される空調風の温度は、ヒータコア２７を通過する空調風および冷風バイパス通路２８を通過する空調風の風量割合によって変化する。
【００１７】
このため、蒸発器２６の空気流れ下流側であって、ヒータコア２７および冷風バイパス通路２８の入口側には、エアミックスドア２９が配置されている。エアミックスドア２９は、ヒータコア２７および冷風バイパス通路２８へ流入する冷風の風量割合を連続的に変化させるもので、蒸発器２６およびヒータコア２７と共に温度調整手段として機能する。エアミックスドア２９は、制御装置から出力される制御信号によってその作動が制御される。
【００１８】
そして、上記各開口部３０、３１の空気流れ上流側には、デフロスタ／フェイス開口部３０を開閉するデフロスタ／フェイスドア３４、フット開口部３１を開閉するフットドア３５が配置されている。デフロスタ／フェイスドア３４およびフットドア３５は、車室内への空気の吹出状態を切り替える吹出モードドアである。
【００１９】
車両用空気吹き出し装置１０は、インストルメントパネル内に配置され、デフロスタ／フェイス開口部３０と連通することで、デフロスタ／フェイス開口部３０から吹き出た空調風を車室内に導くようになっている。
【００２０】
続いて、図３〜図６を参照しながら、車両用空気吹き出し装置１０の構成の概略について説明する。
図３および図４は、フェイスモード時における車両用空気吹き出し装置１０の状態を表している。フェイスモードは、本発明の第２モードの一例である。
図５および図６は、デフロストモード時における車両用空気吹き出し装置１０の状態を表している。デフロストモードは、本発明の第１モードの一例である。
図４は、図３に表した切断面ＩＶ−ＩＶにおける断面を表している。図６は、図５に表した切断面ＶＩ−ＶＩにおける断面を表している。
【００２１】
車両用空気吹き出し装置１０は、主ケーシング１１と、フラップ１２と、１０個のルーバ２５１ａ〜２５５ａ、２６１ａ〜２６５ａと、駆動機構１４（図７参照）と、を有している。駆動機構１４の詳細については、後述する。なお、図３〜図６において、車両に固定された上下、左右、前後方向との対応関係を示す。なお、以下では、上、下、右、左、前、後と単に記載するものは、車両を基準とした上、下、右、左、前、後をいう。また、本実施形態の車両を基準とした右側は、一方側の一例に相当し、車両を基準とした左側は、他方側の一例に相当する。
【００２２】
主ケーシング１１は、デフロスタ／フェイス開口部３０から出た空調風を吹出口１１ａ（図１参照）から車室内に導く通風路Ｘを囲むダクトである。主ケーシング１１によって囲まれる通風路Ｘには、フラップ１２、ルーバ２５１ａ〜２５５ａ、２６１ａ〜２６５ａ等も配置される。
【００２３】
図４および図６に示すように、主ケーシング１１は、コアンダ壁１１ｂと、前側壁１１ｃと、を有する無底筒形状の部材である。コアンダ壁１１ｂは、上方に延びるにつれて緩やかに車両後方側に曲がるコアンダ面を形成する通風路Ｘ側に形成する壁である。主ケーシング１１の下方端は、上述のデフロスタ／フェイス開口部３０と接続され、上方端は吹出口１１ａとなっている。
【００２４】
吹出口１１ａは、デフロストモード、デフロストモード以外のモードの２つの吹出モードにおいて主ケーシング１１から導かれた空調風を吹き出す吹出口である。ここで、デフロストモードは、フロントガラス２（図１参照）に向けて空調風を吹き出し、フロントガラス２の曇りを晴らす吹出モードである。デフロストモード以外のモードは、フェイスモードと循環風モードとを含んでいる。フェイスモードは、前席乗員の上半身に向けて空気を吹き出すモードである。循環風モードは、空調風を車室内で循環させる吹出モードである。
【００２５】
吹出口１１ａは、車幅方向に細長く延びた形状であり、運転席の正面および助手席の正面にわたって配置されている。なお、吹出口１１ａの車幅方向長さおよび上面１ａにおける配置場所は任意に変更可能である。
【００２６】
フラップ１２は、通風路Ｘに配置される羽形状の部材である。後述する駆動機構１４がフラップ１２を駆動してフラップ１２の傾き角（姿勢の一例に相当する）を変化させることで、デフロストモードとデフロストモード以外のモードとを切り替えることができる。
【００２７】
フラップ１２は、２枚の板部材を有し、それら板部材の各々は、主ケーシング１１の内部の通風路Ｘにおいて、駆動機構１４が有するフラップシャフト２２７の長手方向の殆どの部分から、フラップシャフト２２７の回転中心から離れるように、延びている。これら２枚の板部材は、フラップシャフト２２７に固定され、フラップシャフト２２７を中心として互いに対称的に延びている。このように構成されたフラップ１２は、フラップシャフト２２７と同軸かつ一体的に左右方向を軸として回転する。
【００２８】
ルーバ２５１ａ〜２５５ａ、２６１ａ〜２６５ａは、通風路Ｘにおいて吹出口１１ａの長手方向に一例に並んで配置され、吹出口１１ａの長手方向における空調風の送風量分布を調整するために駆動機構１４によって駆動される。なお、本実施形態では、ルーバ２５１ａ〜２５５ａ、２６１ａ〜２６５ａの並び方向は、車両左右方向と一致する。
【００２９】
第１、第２、第３、第４、第５右ルーバシャフト２５１、２５２、２５３、２５４、２５５の各々は、前後方向に真っ直ぐ延びる棒形状の部材である。また、第１〜第５右ルーバシャフト２５１〜２５５のそれぞれの前端は、前側壁１１ｃに軸支される。第１〜第５右ルーバシャフト２５１〜２５５のそれぞれの後端は、コアンダ壁１１ｂに軸支される。そして、第１〜第５右ルーバシャフト２５１〜２５５は、それぞれ、前後方向を軸として回転する。
【００３０】
第１右ルーバ２５１ａは、２枚の平板部材を有し、それら板部材の各々は、主ケーシング１１の内部の通風路Ｘにおいて、第１右ルーバシャフト２５１の長手方向の殆どの部分から、第１右ルーバシャフト２５１の回転中心から離れるように、延びている。また、これら２枚の板部材は、第１右ルーバシャフト２５１に固定され、第１右ルーバシャフト２５１を中心として互いに対称的に延びている。このように構成された第１右ルーバ２５１ａは、第１右ルーバシャフト２５１と同軸かつ一体的に前後方向を軸として回転する。
【００３１】
第２右ルーバ２５２ａは、２枚の平板部材を有し、それら板部材の各々は、主ケーシング１１の内部の通風路Ｘにおいて、第２右ルーバシャフト２５２の長手方向の殆どの部分から、第２右ルーバシャフト２５２の回転中心から離れるように、延びている。また、これら２枚の板部材は、第２右ルーバシャフト２５２に固定され、第２右ルーバシャフト２５２を中心として互いに対称的に延びている。このように構成された第２右ルーバ２５２ａは、第２右ルーバシャフト２５２と同軸かつ一体的に前後方向を軸として回転する。
【００３２】
第３右ルーバ２５３ａは、２枚の平板部材を有し、それら板部材の各々は、主ケーシング１１の内部の通風路Ｘにおいて、第３右ルーバシャフト２５３の長手方向の殆どの部分から、第３右ルーバシャフト２５３の回転中心から離れるように、延びている。また、これら２枚の板部材は、第３右ルーバシャフト２５３に固定され、第３右ルーバシャフト２５３を中心として互いに対称的に延びている。このように構成された第３右ルーバ２５３ａは、第３右ルーバシャフト２５３と同軸かつ一体的に前後方向を軸として回転する。
【００３３】
第４右ルーバ２５４ａは、２枚の平板部材を有し、それら板部材の各々は、主ケーシング１１の内部の通風路Ｘにおいて、第４右ルーバシャフト２５４の長手方向の殆どの部分から、第４右ルーバシャフト２５４の回転中心から離れるように、延びている。また、これら２枚の板部材は、第４右ルーバシャフト２５４に固定され、第４右ルーバシャフト２５４を中心として互いに対称的に延びている。このように構成された第４右ルーバ２５４ａは、第４右ルーバシャフト２５４と同軸かつ一体的に前後方向を軸として回転する。
【００３４】
第５右ルーバ２５５ａは、２枚の平板部材を有し、それら板部材の各々は、主ケーシング１１の内部の通風路Ｘにおいて、第５右ルーバシャフト２５５の長手方向の殆どの部分から、第５右ルーバシャフト２５５の回転中心から離れるように、延びている。また、これら２枚の板部材は、第５右ルーバシャフト２５５に固定され、第５右ルーバシャフト２５５を中心として互いに対称的に延びている。このように構成された第５右ルーバ２５５ａは、第５右ルーバシャフト２５５と同軸かつ一体的に前後方向を軸として回転する。
【００３５】
第１、第２、第３、第４、第５左ルーバシャフト２６１、２６２、２６３、２６４、２６５の各々は、前後方向に真っ直ぐ延びる棒形状の部材である。また、第１〜第５左ルーバシャフト２６１〜２６５のそれぞれの前端は、前側壁１１ｃに軸支される。第１〜第５左ルーバシャフト２６１〜２６５のそれぞれの後端は、コアンダ壁１１ｂに軸支される。そして、第１〜第５左ルーバシャフト２６１〜２６５は、それぞれ、前後方向を軸として回転する。
【００３６】
第１左ルーバ２６１ａは、２枚の平板部材を有し、それら板部材の各々は、主ケーシング１１の内部の通風路Ｘにおいて、第１左ルーバシャフト２６１の長手方向の殆どの部分から、第１左ルーバシャフト２６１の回転中心から離れるように、延びている。また、これら２枚の板部材は、第１左ルーバシャフト２６１に固定され、第１左ルーバシャフト２６１を中心として互いに対称的に延びている。このように構成された第１左ルーバ２６１ａは、第１左ルーバシャフト２６１と同軸かつ一体的に前後方向を軸として回転する。
【００３７】
第２左ルーバ２６２ａは、２枚の平板部材を有し、それら板部材の各々は、主ケーシング１１の内部の通風路Ｘにおいて、第２左ルーバシャフト２６２の長手方向の殆どの部分から、第２左ルーバシャフト２６２の回転中心から離れるように、延びている。また、これら２枚の板部材は、第２左ルーバシャフト２６２に固定され、第２左ルーバシャフト２６２を中心として互いに対称的に延びている。このように構成された第２左ルーバ２６２ａは、第２左ルーバシャフト２６２と同軸かつ一体的に前後方向を軸として回転する。
【００３８】
第３左ルーバ２６３ａは、２枚の平板部材を有し、それら板部材の各々は、主ケーシング１１の内部の通風路Ｘにおいて、第３左ルーバシャフト２６３の長手方向の殆どの部分から、第３左ルーバシャフト２６３の回転中心から離れるように、延びている。また、これら２枚の板部材は、第３左ルーバシャフト２６３に固定され、第３左ルーバシャフト２６３を中心として互いに対称的に延びている。このように構成された第３左ルーバ２６３ａは、第３左ルーバシャフト２６３と同軸かつ一体的に前後方向を軸として回転する。
【００３９】
第４左ルーバ２６４ａは、２枚の平板部材を有し、それら板部材の各々は、主ケーシング１１の内部の通風路Ｘにおいて、第４左ルーバシャフト２６４の長手方向の殆どの部分から、第４左ルーバシャフト２６４の回転中心から離れるように、延びている。また、これら２枚の板部材は、第４左ルーバシャフト２６４に固定され、第４左ルーバシャフト２６４を中心として互いに対称的に延びている。このように構成された第４左ルーバ２６４ａは、第４左ルーバシャフト２６４と同軸かつ一体的に前後方向を軸として回転する。
【００４０】
第５左ルーバ２６５ａは、２枚の平板部材を有し、それら板部材の各々は、主ケーシング１１の内部の通風路Ｘにおいて、第５左ルーバシャフト２６５の長手方向の殆どの部分から、第５左ルーバシャフト２６５の回転中心から離れるように、延びている。また、これら２枚の板部材は、第５左ルーバシャフト２６５に固定され、第５左ルーバシャフト２６５を中心として互いに対称的に延びている。このように構成された第５左ルーバ２６５ａは、第５左ルーバシャフト２６５と同軸かつ一体的に前後方向を軸として回転する。
【００４１】
車両用空気吹き出し装置１０の構成の概略は、以上の通りである。
フェイスモード時には、上述の制御装置が、デフロスタ／フェイスドア３４を開き、フットドア３５を閉じるので、空調風がデフロスタ／フェイス開口部３０から車両用空気吹き出し装置１０の通風路Ｘに入る。
【００４２】
フェイスモード時には、図３に示すように、第１〜第５右ルーバ２５１ａ〜２５５ａは、それぞれ、第１〜第５右ルーバシャフト２５１〜２５５の回転中心から上下方向に延びている。第１〜第５右ルーバ２５１ａ〜２５５ａは、本願発明の一方側ルーバに相当する。
第１〜第５左ルーバ２６１ａ〜２６５ａは、それぞれ、第１〜第５左ルーバシャフト２６１〜２６５の回転中心から上下方向に延びている。第１〜第５左ルーバ２６１ａ〜２６５ａは、本願発明の他方側ルーバに相当する。そして、フェイスモード時には、図４に示すように、フラップ１２は、フラップシャフト２２７の回転中心から、上下方向に対して、左側から見て時計回りに６０°の傾斜角で延びている。
【００４３】
このようなフェイスモード時には、空調ケース２１のデフロスタ／フェイス開口部３０から車両用空気吹き出し装置１０の通風路Ｘに入った空調風は、図３に示すように、ルーバ２５１ａ〜２５５ａ、２６１ａ〜２６５ａに導かれて、上方向に真っ直ぐ、すなわち、ルーバ２５１ａ〜２５５ａ、２６１ａ〜２６５ａによって左右方向に曲げられることなく、進む。
【００４４】
そして、ルーバ２５１ａ〜２５５ａ、２６１ａ〜２６５ａを通った空調風は、フラップ１２の横を通過する。図４に示すように、フェイスモード時は、後述するデフロストモード時と比べて、フラップ１２よりも後方側の流路断面積が狭い。したがって、フラップ１２よりも後方側の流路に高速の気流が形成されると共に、フラップ１２よりも前方側の流路に低速の気流が形成される。
【００４５】
高速の気流となった空調風は、コアンダ効果によってコアンダ壁１１ｂおよびインストルメントパネル１の上面１ａ（図１参照）に沿って流れることで、車両後方側に曲げられる。この結果、車両用空調装置２０で温度調整された空調風（例えば冷風）は、吹出口１１ａから乗員の上半身に向かって吹き出される。また、図３に示すように、空調風が左右方向に広がらずに吹き出されるので、吹出口１１ａから乗員の上半身に集中して空調風が吹き出される。
【００４６】
次に、フェイスモードからデフロストモードへの切り替え時の作動について説明する。上述の制御装置は、フェイスモードからデフロストモードに切り替えるため、駆動機構１４を作動させる。すると、フラップ１２が、図６に示すように、左方向から見て反時計回りに１５°回転する。また、図５に示すように、第１右ルーバ２５１ａ、第２右ルーバ２５２ａ、第３右ルーバ２５３ａ、第４右ルーバ２５４ａ、第５右ルーバ２５５ａが、それぞれ、図５において時計回りに１０°、２０°、３０°、４０°、５０°回転する。また、図５に示すように、第１左ルーバ２６１ａ、第２左ルーバ２６２ａ、第３左ルーバ２６３ａ、第４左ルーバ２６４ａ、第５左ルーバ２６５ａが、それぞれ、図５において反時計回りに１０°、２０°、３０°、４０°、５０°回転する。
【００４７】
そして、デフロストモード時には、図５に示すように、第１〜第５右ルーバ２５１ａ〜２５５ａは、それぞれ、第１〜第５右ルーバシャフト２５１〜２５５の回転中心から、上下方向に対して、後方から見て、時計回りに１０°、２０°、３０°、４０°、５０°の傾斜角で延びている。
【００４８】
また、デフロストモード時には、図５に示すように、第１〜第５左ルーバ２６１ａ〜２６５ａは、それぞれ、第１〜第５左ルーバシャフト２６１〜２６５の回転中心から、上下方向に対して、後方から見て、反時計回りに１０°、２０°、３０°、４０°、５０°の傾斜角で延びている。
【００４９】
そして、デフロストモード時には、図６に示すように、フラップ１２は、フラップシャフト２２７の回転中心から、上下方向に対して、左側から見て時計回りに４５°の傾斜角で延びている。
【００５０】
また、デフロストモード時には、上述の制御装置が、デフロスタ／フェイスドア３４を開き、フットドア３５を閉じるので、空調風がデフロスタ／フェイス開口部３０から車両用空気吹き出し装置１０の通風路Ｘに入る。
【００５１】
このようなデフロストモード時には、空調ケース２１のデフロスタ／フェイス開口部３０から車両用空気吹き出し装置１０の通風路Ｘに入った空調風は、図５に示すように、ルーバ２５１ａ〜２５５ａ、２６１ａ〜２６５ａに導かれて、上方向に進むと共に左右方向に拡散されて、進む。
【００５２】
そして、ルーバ２５１ａ〜２５５ａ、２６１ａ〜２６５ａを通った空調風は、フラップ１２の横を通過する。図６に示すように、デフロストモード時は、フェイスモード時と比べて、フラップ１２よりも後方側の流路断面積が広い。したがって、フラップ１２よりも後方側の流路に高速の気流が十分形成されず、前側壁１１ｃに沿って上向きに流れる。この結果、車両用空調装置２０で温度調整された空調風（例えば冷風）は、吹出口１１ａからフロントガラス２に向かって吹き出される。
【００５３】
このようになっているので、デフロストモードにおいて、フロントガラス２の車両左右方向に広く空調風が届くので、広い範囲で窓曇りを解消することができる。
【００５４】
次に、図７〜図１４を参照しながら、本実施形態の駆動機構１４の構成について説明する。なお、図１４に示したグラフでは、説明の便宜上、グラフの頂上部分（すなわち、水平部分）の横軸方向の長さと比較して、グラフの傾斜部の横軸方向の長さを誇張して長く描いている。
駆動機構１４は、フラップ１２およびルーバ２５１ａ〜２５５ａ、２６１ａ〜２６５ａを駆動するための装置であり、フラップシャフト２２７、フラップアーム１２ａ、サーボモータ８０１、モータ出力軸８０２、ルーバクランク８０３、伝達シャフト８０４、フラップクランク８０５、フラップリンク８０６、基本ルーバリンク８０７、リンクプレート８０８、第１右個別ルーバリンク８５１、第２右個別ルーバリンク８５２、第３右個別ルーバリンク８５３、第４右個別ルーバリンク８５４、第５右個別ルーバリンク８５５、第１左個別ルーバリンク８６１、第２左個別ルーバリンク８６２、第３左個別ルーバリンク８６３、第４左個別ルーバリンク８６４、第５左個別ルーバリンク８６５、第１右個別ルーバアーム８５１ａ、第２右個別ルーバアーム８５２ａ、第３右個別ルーバアーム８５３ａ、第４右個別ルーバアーム８５４ａ、第５右個別ルーバアーム８５５ａ、第１左個別ルーバアーム８６１ａ、第２左個別ルーバアーム８６２ａ、第３左個別ルーバアーム８６３ａ、第４左個別ルーバアーム８６４ａ、第５左個別ルーバアーム８６５ａを有している。
【００５５】
なお、図７に示すように、駆動機構１４を備えた車両用空気吹き出し装置１０において、主ケーシング１１は、コアンダ壁１１ｂと、前側壁１１ｃと、左側壁１１ｄと、右側壁１１ｅと、有する。
【００５６】
フラップシャフト２２７は、主ケーシング１１を左右方向に真っ直ぐ貫通する位置に配置され、一端が主ケーシング１１の右側壁１１ｅに軸支され、他端がフラップアーム１２ａに固定される棒形状の部材である。フラップシャフト２２７は、両端の間の部分で左側壁１１ｄに軸支されている。
【００５７】
フラップアーム１２ａは、左側壁１１ｄの左側に位置する板形状の部材であり、フラップシャフト２２７の左端に固定され、フラップシャフト２２７を中心とする径方向に真っ直ぐ延びると共に、フラップシャフト２２７を中心として互いに対称的に延びている。このように構成されたフラップアーム１２ａは、フラップシャフト２２７と同軸かつ一体的に左右方向を軸として回転する。
【００５８】
サーボモータ８０１は、フラップ１２およびルーバ２５１ａ〜２５５ａ、２６１ａ〜２６５ａを駆動するための動力を発生するアクチュエータである。サーボモータ８０１は、図７、図８に示すように、主ケーシング１１の前側壁１１ｃよりも車両前方側に配置されており、図示しない構造部材により、主ケーシング１１に固定されている。
【００５９】
モータ出力軸８０２は、サーボモータ８０１において発生した動力をサーボモータ８０１の外部に伝達するための出力軸であり、図７、図８に示すように、サーボモータ８０１から車両左側に延びている。
【００６０】
ルーバクランク８０３は、図７、図８に示すように、モータ出力軸８０２の車両左方側端部に固定されてサーボモータ８０１と同軸かつ一体的に左右方向を軸として回転する円盤形状の部材である。また、ルーバクランク８０３は、基本ルーバリンク８０７側の面の外周付近に、突起部８０３ａを有している。
【００６１】
伝達シャフト８０４は、図７、図８に示すように、一端がルーバクランク８０３の回転中心に固定され、他端がフラップクランク８０５の回転中心に固定される棒形状の部材であり、左右方向に延びている。そして、伝達シャフト８０４は、ルーバクランク８０３およびフラップクランク８０５と同軸かつ一体的に左右方向を軸として回転する。なお、伝達シャフト８０４は、その両端の間において、ケーシング１１に固定された図示しない保持部材によって軸支されている。
【００６２】
フラップクランク８０５は、図７、図８に示すように、伝達シャフト８０４の車両左方側端部に固定されてサーボモータ８０１と同軸かつ一体的に左右方向を軸として回転する円盤形状の部材である。また、フラップクランク８０５は、フラップリンク８０６側の面の外周付近に、突起部８０５ａを有している。なお、フラップクランク８０５の回転中心軸から突起部８０５ａまでの距離は、ルーバクランク８０３の回転中心から突起部８０３ａまでの距離よりも短い。
【００６３】
フラップリンク８０６は、図７、図８に示すように、棒状の部材であり、その一端には穴が空けられており、当該穴にフラップクランク８０５の突起部８０５ａが回転可能に挿入される。また、フラップリンク８０６の他端は、フラップアーム１２ａの端部（すなわち、フラップシャフト２２７から最も遠い部分）に、回転可能に取り付けられている。
【００６４】
基本ルーバリンク８０７は、図７、図８に示すように、棒状の部材であり、その一端には穴が空けられており、当該穴にルーバクランク８０３の突起部８０３ａが回転可能に挿入される。また、基本ルーバリンク８０７の他端は、リンクプレート８０８の上端部に、回転可能に取り付けられている。基本ルーバリンク８０７の位置は、本願発明の基準位置の一例に相当する。
【００６５】
リンクプレート８０８は、図７〜図９に示すように、略平板形状の部材であり、前側壁１１ｃの前側において、板面が前後方向に垂直となるように配置されている。リンクプレート８０８は、図示しないガイドレールによって、上下方向にのみ摺動可能に支持されている。本実施形態における上とは、リンクプレート８０８が複数個のルーバ２５１ａ〜２５５ａ、２６１ａ〜２６５ａを広げるように駆動される際の前端側であり、本実施形態における下とは、リンクプレート８０８がルーバ２５１ａ〜２５５ａ、２６１ａ〜２６５ａを広げるように駆動される際の後端側である。
【００６６】
また、リンクプレート８０８の後ろ側の面には、複数本のガイド溝が形成されている。複数本のガイド溝は、第１右ガイド溝８１１、第２右ガイド溝８１２、第３右ガイド溝８１３、第４右ガイド溝８１４、第５右ガイド溝８１５、第１左ガイド溝８２１、第２左ガイド溝８２２、第３左ガイド溝８２３、第４左ガイド溝８２４、第５左ガイド溝８２５から構成される。
【００６７】
第１〜第５右ガイド溝８１１〜８１５は、第１〜第５左ガイド溝８２１〜８２５と左右対称に配置されている。具体的には、図９に示すように、第１〜第５右ガイド溝８１１〜８１５は、この順に、左から右へと並んで配置されており、第１〜第５左ガイド溝８２１〜８２５は、この順に、右から左へと並んで配置されている。第１〜第５右ガイド溝８１１〜８１５は、本願発明の一方側ガイド溝に相当する。第１〜第５左ガイド溝８２１〜８２５は、本願発明の他方側ガイド溝に相当する。
【００６８】
また、第１〜第５右ガイド溝８１１〜８１５の各々は、上方位置から下方位置に延びるにつれて左位置から右位置に段階的に変位しており、第１〜第５左ガイド溝８２１〜８２５の各々は、上方位置から下方位置に延びるにつれて右位置から左位置に段階的に変位している。
【００６９】
なお、第１〜第５右ガイド溝８１１〜８１５の左位置は、それぞれ、第１〜第５右ルーバシャフト２５１〜２５５の回転中心と、左右方向の位置が一致する。また、第１〜第５左ガイド溝８２１〜８２５の右位置は、それぞれ、第１〜第５左ルーバシャフト２６１〜２６５の回転中心と、左右方向の位置が一致する。
【００７０】
第１〜第５右ガイド溝８１１〜８１５の左位置から右位置への変位量は、それぞれ異なっている。具体的には、第１右ガイド溝８１１が最も小さく、次に第２右ガイド溝８１２が小さく、次に第３右ガイド溝８１３が小さく、次に第４右ガイド溝８１４が小さく、第５右ガイド溝８１５が最も大きい。
【００７１】
より詳細には、図１３に示すように、第１右ガイド溝８１１の左位置から右位置への変位量に対する右ガイド溝８１２、８１３、８１４、８１５の左位置から右位置への変位量の比は、それぞれ、ｓｉｎ２０°／ｓｉｎ１０°、ｓｉｎ３０°／ｓｉｎ１０°、ｓｉｎ４０°／ｓｉｎ１０°、ｓｉｎ５０°／ｓｉｎ１０°である。
【００７２】
また、第１〜第５左ガイド溝８２１〜８２５の右位置から左位置への変位量は、それぞれ異なっている。具体的には、第１左ガイド溝８２１が最も小さく、次に第２左ガイド溝８２２が小さく、次に第３左ガイド溝８２３が小さく、次に第４左ガイド溝８２４が小さく、第５左ガイド溝８２５が最も大きい。
【００７３】
より詳細には、図１３に示すように、第１左ガイド溝８２１の右位置から左位置への変位量に対する左ガイド溝８２２、８２３、８２４、８２５の右位置から左位置への変位量の比は、それぞれ、ｓｉｎ２０°／ｓｉｎ１０°、ｓｉｎ３０°／ｓｉｎ１０°、ｓｉｎ４０°／ｓｉｎ１０°、ｓｉｎ５０°／ｓｉｎ１０°である。
【００７４】
第１〜第５右個別ルーバアーム８５１ａ〜８５５ａは、図７に示すように、それぞれ、第１〜第５右ルーバシャフト２５１〜２５５のうち前側壁１１ｃの前方側に突き出ている端部から、上方に延びた棒状の部材であり、それぞれ、第１〜第５右ルーバシャフト２５１〜２５５と一体的に回転する。
【００７５】
また、図７、図９に示すように、第１〜第５右個別ルーバリンク８５１〜８５５は、それぞれ、第１〜第５右個別ルーバアーム８５１ａ〜８５５ａの上端部から前方に延びる棒形状の部材である。第１〜第５右個別ルーバリンク８５１〜８５５は、それぞれ、第１〜第５右ルーバシャフト２５１〜２５５および第１〜第５右個別ルーバアーム８５１ａ〜８５５ａと一体的に回転する。第１〜第５右個別ルーバリンク８５１〜８５５の前方側端部は、それぞれ、リンクプレート８０８の第１〜第５右ガイド溝８１１〜８１５内に摺動可能に収容される。
【００７６】
第１〜第５左個別ルーバアーム８６１ａ〜８６５ａは、図７に示すように、それぞれ、第１〜第５左ルーバシャフト２６１〜２６５のうち前側壁１１ｃの前方側に突き出ている端部から、上方に延びた棒状の部材であり、それぞれ、第１〜第５左ルーバシャフト２６１〜２６５と一体的に回転する。
【００７７】
また、図７、図９に示すように、第１〜第５左個別ルーバリンク８６１〜８６５は、それぞれ、第１〜第５左個別ルーバアーム８６１ａ〜８６５ａの上端部から前方に延びる棒形状の部材である。第１〜第５左個別ルーバリンク８６１〜８６５は、それぞれ、第１〜第５左ルーバシャフト２６１〜２６５および第１〜第５左個別ルーバアーム８６１ａ〜８６５ａと一体的に回転する。第１〜第５左個別ルーバリンク８６１〜８６５の前方側端部は、それぞれ、リンクプレート８０８の第１〜第５左ガイド溝８２１〜８２５内に摺動可能に収容される。
【００７８】
本実施形態の車両用空気吹き出し装置１０の構成は、以上の通りである。なお、図７〜図９は、フェイスモード時における車両用空気吹き出し装置１０の状態を表している。
以下、車両用空気吹き出し装置１０の作動について説明する。
【００７９】
フェイスモード時には、図１０（ａ）に示すように、ルーバクランク８０３の突起部８０３ａが下の位置にあり、その結果、基本ルーバリンク８０７によってリンクプレート８０８が下側に配置された状態になっている。このとき、図９に示すように、第１〜第５右個別ルーバリンク８５１〜８５５の上記他端は、それぞれ、第１〜第５右ガイド溝８１１〜８１５の上方位置（すなわち、左位置）にある。また、第１〜第５左個別ルーバリンク８６１〜８６５の上記他端は、それぞれ、第１〜第５左ガイド溝８２１〜８２５の上方位置（すなわち、右位置）にある。したがって、第１〜第５右ルーバ２５１ａ〜２５５ａおよび第１〜第５左ルーバ２６１ａ〜２６５ａは、上下方向に平行に延びている。
【００８０】
また、フェイスモード時には、図１１（ａ）に示すように、フラップクランク８０５の突起部８０５ａがフラップシャフト２２７に近い位置にあり、その結果、フラップリンク８０６によってフラップアーム１２ａが上下方向から６０°傾いた状態になっている。また、フラップ１２もフラップアーム１２ａと同様に、上下方向から６０°傾いた状態になっている。
【００８１】
フェイスモードからデフロストモードへの切り替え時において、制御装置は、サーボモータ８０１を作動させる。すると、モータ出力軸８０２が、サーボモータ８０１と同期して、左右方向を軸として、左から見て反時計回り方向に１８０°回転する。ルーバクランク８０３、伝達シャフト８０４、フラップクランク８０５もモータ出力軸８０２と同期して同様に回転する。
【００８２】
すると、ルーバクランク８０３が図１０（ａ）の状態から図１０（ｂ）の状態に１８０°回転し、ルーバクランク８０３の突起部８０３ａが上の位置に移動する。その結果、基本ルーバリンク８０７によってリンクプレート８０８が引き上げられて上側に配置された状態になる。このとき、図１２に示すように、第１〜第５右個別ルーバリンク８５１〜８５５の上記他端は、それぞれ、第１〜第５右ガイド溝８１１〜８１５の下方位置（すなわち、右位置）に変位する。また、第１〜第５左個別ルーバリンク８６１〜８６５の上記他端は、それぞれ、第１〜第５左ガイド溝８２１〜８２５の下方位置（すなわち、左位置）に変位する。したがって、第１〜第５右ルーバ２５１ａ〜２５５ａは、それぞれ、空調風の下流側が右方向に１０°、２０°、３０°、４０°、５０°傾き、第１〜第５左ルーバ２６１ａ〜２６５ａは、それぞれ、空調風の下流側が左方向に１０°、２０°、３０°、４０°、５０°傾く。このように、リンクプレート８０８は、第１〜第５右ルーバ２５１ａ〜２５５ａおよび第１〜第５左ルーバ２６１ａ〜２６５ａの傾き角を規制する。
【００８３】
また、フラップクランク８０５が図１１（ａ）の状態から図１１（ｂ）の状態に１８０°回転し、フラップクランク８０５の突起部８０５ａが図１１（ａ）の状態よりもフラップシャフト２２７から遠い位置に移動する。その結果、フラップリンク８０６によってフラップアーム１２ａが上下方向から４５°傾いた状態になる。この結果、フラップ１２もフラップアーム１２ａと同様に、上下方向から４５°傾いた状態になる。
【００８４】
この結果、フェイスモードからデフロストモードへの切り替えが完了した後のデフロストモード時には、ルーバ２５１ａ〜２５５ａ、２６１ａ〜２６５ａおよびフラップ１２の位置および姿勢は、図５および図６に関して前述した通りとなる。
【００８５】
ここで、図１３に示すように、第１右ガイド溝８１１が左位置から右位置へ変位する傾斜部の上下方向の範囲（すなわち、摺動範囲）は、第１右摺動範囲８１１ａである。第２右ガイド溝８１２が左位置から右位置へ変位する傾斜部の上下方向の範囲は、第２右摺動範囲８１２ａである。第３右ガイド溝８１３が左位置から右位置へ変位する傾斜部の上下方向の範囲は、第３右摺動範囲８１３ａである。第４右ガイド溝８１４が左位置から右位置へ変位する傾斜部の上下方向の範囲は、第４右摺動範囲８１４ａである。第５右ガイド溝８１５が左位置から右位置へ変位する傾斜部の上下方向の範囲は、第５右摺動範囲８１５ａである。第１〜第５右摺動範囲８１１ａ〜８１５ａは、互いにずれており、異なる長さを有する。
【００８６】
また、第１左ガイド溝８２１が右位置から左位置へ変位する傾斜部の上下方向の範囲（すなわち、摺動範囲）は、第１左摺動範囲８２１ａである。第２左ガイド溝８２２が右位置から左位置へ変位する傾斜部の上下方向の範囲は、第２左摺動範囲８２２ａである。第３左ガイド溝８２３が右位置から左位置へ変位する傾斜部の上下方向の範囲は、第３左摺動範囲８２３ａである。第４左ガイド溝８２４が右位置から左位置へ変位する傾斜部の上下方向の範囲は、第４左摺動範囲８２４ａである。第５左ガイド溝８２５が右位置から左位置へ変位する傾斜部の上下方向の範囲は、第５左摺動範囲８２５ａである。第１〜第５左摺動範囲８１１ａ〜８１５ａは、互いにずれており、異なる長さを有する。
【００８７】
第１〜第５右ガイド溝８１１〜８１５が左位置から右位置へ変位する傾斜部は、それぞれ、内側から外側へ向かって下へ傾斜する方向に延びている。具体的には、第１〜第５右ガイド溝８１１〜８１５が左位置から右位置へ変位する傾斜部は、それぞれ、上下方向に対して、後側からみて反時計回りに４５°の傾斜角で延びている。そのため、第１〜第５右個別ルーバリンク８５１〜８５５の前方側端部のそれぞれが、第１〜第５右ガイド溝８１１〜８１５の左位置から右位置へ変位する傾斜部を摺動するときの抵抗のピーク値は、同じである。言い換えれば、図１４に示すように、第１〜第５右ルーバ２５１ａ〜２５５ａのそれぞれを駆動するために必要なサーボモータ８０１のトルクのピーク値Ｔは、互いに同じであり、トルクの目標値Ｔｓｈよりも低い。例えば、トルクの目標値Ｔｓｈは、第１〜第５右ルーバ２５１ａ〜２５５ａを同時に駆動するときに必要なサーボモータ８０１のトルクのピーク値である。
【００８８】
また、第１〜第５左ガイド溝８２１〜８２５が右位置から左位置へ変位する傾斜部は、それぞれ、内側から外側へ向かって下へ傾斜する方向に延びている。具体的には、第１〜第５左ガイド溝８２１〜８２５が右位置から左位置へ変位する傾斜部は、それぞれ、上下方向に対して、後側からみて時計回りに４５°の傾斜角で延びている。そのため、第１〜第５左個別ルーバリンク８６１〜８６５の前方側端部のそれぞれが、第１〜第５左ガイド溝８２１〜８２５の右位置から左位置へ変位する傾斜部を摺動するときの抵抗のピーク値は、同じである。言い換えれば、図１４に示すように、第１〜第５左ルーバ２６１ａ〜２６５ａのそれぞれを駆動するために必要なサーボモータ８０１のトルクのピーク値Ｔは、互いに同じであり、トルクの目標値Ｔｓｈよりも低い。例えば、トルクの目標値Ｔｓｈは、第１〜第５左ルーバ２６１ａ〜２６５ａを同時に駆動するときに必要なサーボモータ８０１のトルクのピーク値である。
【００８９】
あるいは、図９および図１３に示すように、第１〜第５右ガイド溝８１１〜８１５が第１〜第５左ガイド溝８２１〜８２５と左右対称に配置されている場合には、図１４に示すように、第１右ルーバ２５１ａおよび第１左ルーバ２６１ａ、第２右ルーバ２５２ａおよび第２左ルーバ２６２ａ、第３右ルーバ２５３ａおよび第３左ルーバ２６３ａ、第４右ルーバ２５４ａおよび第４左ルーバ２６４ａ、ならびに第５右ルーバ２５５ａおよび第５左ルーバ２６５ａを駆動するために必要なサーボモータ８０１のトルクのピーク値Ｔは、互いに同じであり、トルクの目標値Ｔｓｈよりも低い。例えば、トルクの目標値Ｔｓｈは、第１〜第５右ルーバ２５１ａ〜２５５ａおよび第１〜第５左ルーバ２６１ａ〜２６５ａを同時に駆動するときに必要なサーボモータ８０１のトルクのピーク値である。
【００９０】
第１〜第５右ガイド溝８１１〜８１５が左位置から右位置へ変位する傾斜部は、それぞれ、内側から外側へ向かって順に上から配置されている。また、第１〜第５左ガイド溝８２１〜８２５が右位置から左位置へ変位する傾斜部は、それぞれ、内側から外側へ向かって順に上から配置されている。言い換えれば、  第１右摺動範囲８１１ａおよび第１左摺動範囲８２１ａは、第２〜第５右摺動範囲８１２ａ〜８１５ａおよび第２〜第５左摺動範囲８２２ａ〜８２５ａよりも上に配置されている。第２右摺動範囲８１２ａおよび第２左摺動範囲８２２ａは、第３〜第５右摺動範囲８１３ａ〜８１５ａおよび第３〜第５左摺動範囲８２３ａ〜８２５ａよりも上に配置されている。第３右摺動範囲８１３ａおよび第３左摺動範囲８２３ａは、第４〜第５右摺動範囲８１４ａ〜８１５ａおよび第４〜第５左摺動範囲８２４ａ〜８２５ａよりも上に配置されている。第４右摺動範囲８１４ａおよび第４左摺動範囲８２４ａは、第５右摺動範囲８１５ａおよび第５左摺動範囲８２５ａよりも上に配置されている。
【００９１】
そのため、フェイスモードからデフロストモードへの切り替え時には、第１〜第５右ルーバ２５１ａ〜２５５ａおよび第１〜第５左ルーバ２６１ａ〜２６５ａのうちで、内側（すなわち、リンクプレート８０８の中央側）に配置されたルーバから順に傾いた状態へ遷移する。すなわち、フェイスモードからデフロストモードへの切り替え時には、第１右ルーバ２５１ａおよび第１左ルーバ２６１ａは、第２〜第５右ルーバ２５２ａ〜２５５ａおよび第２〜第５左ルーバ２６２ａ〜２６５ａよりも先に傾いた状態へ遷移する。第２右ルーバ２５２ａおよび第２左ルーバ２６２ａは、第３〜第５右ルーバ２５３ａ〜２５５ａおよび第３〜第５左ルーバ２６３ａ〜２６５ａよりも先に傾いた状態へ遷移する。第３右ルーバ２５３ａおよび第３左ルーバ２６３ａは、第４〜第５右ルーバ２５４ａ〜２５５ａおよび第４〜第５左ルーバ２６４ａ〜２６５ａよりも先に傾いた状態へ遷移する。第４右ルーバ２５４ａおよび第４左ルーバ２６４ａは、第５右ルーバ２５５ａおよび第５左ルーバ２６５ａよりも先に傾いた状態へ遷移する。
【００９２】
なお、第１〜第５右ルーバ２５１ａ〜２５５ａおよび第１〜第５左ルーバ２６１ａ〜２６５ａが駆動する順序は、左右の同じ番号のルーバが同時に傾いた状態へ遷移することには限定されず、左右の同じ番号のルーバが互いにずれたタイミングで傾いた状態へ遷移してもよい。すなわち、第１〜第５右ルーバ２５１ａ〜２５５ａのうちで、最も左側に配置された第１右ルーバ２５１ａから最も右側に配置された第５右ルーバ２５５ａへ向かって順に各ルーバが傾いた状態へ遷移すれば、その各ルーバの駆動形態は、本実施形態に包含される。また、第１〜第５左ルーバ２６１ａ〜２６５ａのうちで、最も右側に配置された第１左ルーバ２６１ａから最も左側に配置された第５左ルーバ２６５ａへ向かって順に各ルーバが傾いた状態へ遷移すれば、その各ルーバの駆動形態は、本実施形態に包含される。
【００９３】
本実施形態において、デフロストモードからフェイスモードに切り替える場合は、上述のフェイスモードからデフロストモードに切り替える場合と同様にサーボモータ８０１を作動させて、モータ出力軸８０２を同じ方向に１８０°回転させればよい。このようにすることで、図１０（ｂ）および図１１（ｂ）の状態から図１０（ａ）および図１１（ａ）の状態にそれぞれ戻る。つまり、デフロストモードからフェイスモードへの切り替え時には、第１〜第５右ルーバ２５１ａ〜２５５ａのうちで、外側に配置されたルーバから順に上下方向に平行に延びた状態へ遷移する。また、第１〜第５左ルーバ２６１ａ〜２６５ａのうちで、外側に配置されたルーバから順に上下方向に平行に延びた状態へ遷移する。
【００９４】
このように、本実施形態の駆動機構１４は、単一のリンクプレート８０８を動かすだけで、すべてのルーバ２５１ａ〜２５５ａ、２６１ａ〜２６５ａの姿勢を変化させてフェイスモードとデフロストモードの切り替えを行うことができる。そして、第１〜第５右摺動範囲８１１ａ〜８１５ａが互いにずれ、第１〜第５左摺動範囲８２１ａ〜８２５ａが互いにずれているため、第１〜第５右ルーバ２５１ａ〜２５５ａおよび第１〜第５左ルーバ２６１ａ〜２６５ａを駆動するために必要なトルクを低減することができる。これにより、サーボモータ８０１を小型化することができ、車両用空気吹き出し装置１０を小型化することができる。また、駆動可能なルーバの数を増やすことができる。さらに、第１〜第５右ルーバ２５１ａ〜２５５ａおよび第１〜第５左ルーバ２６１ａ〜２６５ａが駆動する順序を内側から外側へ、あるいは外側から内側へ規定することで、各ルーバ同士が互いに接触することを抑えることができる。そのため、各ルーバ同士の距離を短くすることができ、車両用空気吹き出し装置１０を小型化することができる。
【００９５】
前述したように、第１〜第５右ガイド溝８１１〜８１５の左位置から右位置への変位量８１１ｃ，８１２ｃ，８１３ｃ，８１４ｃ，８１５ｃの比は、８１１ｃ：８１２ｃ：８１３ｃ：８１４ｃ：８１５ｃ＝ｓｉｎ１０°：ｓｉｎ２０°：ｓｉｎ３０°：ｓｉｎ４０°：ｓｉｎ５０°である。第１〜第５左ガイド溝８２１〜８２５の左位置から右位置への変位量８２１ｃ，８２２ｃ，８２３ｃ，８２４ｃ，８２５ｃの比は、８２１ｃ：８２２ｃ：８２３ｃ：８２４ｃ：８２５ｃ＝ｓｉｎ１０°：ｓｉｎ２０°：ｓｉｎ３０°：ｓｉｎ４０°：ｓｉｎ５０°である。また、第１〜第５右ガイド溝８１１〜８１５が左位置から右位置へ変位する傾斜部のそれぞれの傾斜角は同じであり、第１〜第５左ガイド溝８２１〜８２５が右位置から左位置へ変位する傾斜部のそれぞれの傾斜角は同じである。
【００９６】
そのため、図１４に示すように、第１〜第５右ルーバ２５１ａ〜２５５ａを駆動するときに必要なサーボモータ８０１のトルクのピーク値の時間は、最も左側に配置された第１右ルーバ２５１ａを駆動するときの時間が最も短く、第５右ルーバ２５５ａへ向かって順に長くなる。また、第１〜第５左ルーバ２６１ａ〜２６５ａを駆動するときに必要なサーボモータ８０１のトルクのピーク値の時間は、最も右側に配置された第１左ルーバ２６１ａを駆動するときの時間が最も短く、第５左ルーバ２６５ａへ向かって順に長くなる。
【００９７】
例えば、第１右ルーバ２５１ａおよび第１左ルーバ２６１ａを駆動するときに必要なサーボモータ８０１のトルクのピーク値の時間ｔ１は、約０．３秒間程度である。例えば、第２右ルーバ２５２ａおよび第２左ルーバ２６２ａを駆動するときに必要なサーボモータ８０１のトルクのピーク値の時間ｔ２は、約０．５秒間程度である。例えば、第３右ルーバ２５３ａおよび第３左ルーバ２６３ａを駆動するときに必要なサーボモータ８０１のトルクのピーク値の時間ｔ３は、約１秒間程度である。例えば、第４右ルーバ２５４ａおよび第４左ルーバ２６４ａを駆動するときに必要なサーボモータ８０１のトルクのピーク値の時間ｔ４は、約１．３秒間程度である。例えば、第５右ルーバ２５５ａおよび第５左ルーバ２６５ａを駆動するときに必要なサーボモータ８０１のトルクのピーク値の時間ｔ５は、約１．７秒間程度である。なお、これらのトルクのピーク値の時間は、一例であり、前述した時間には限定されない。
【００９８】
これにより、第１〜第５右ルーバ２５１ａ〜２５５ａおよび第１〜第５左ルーバ２６１ａ〜２６５ａのすべてのルーバを駆動するときに必要なサーボモータ８０１のトルクのピーク値の時間を短縮することができる。
【００９９】
なお、本実施形態では、一方側基準位置および他方側基準位置は一致しており、第１右ルーバ２５１ａと第１左ルーバ２６１ａの間において、第１右ルーバ２５１ａおよび第１左ルーバ２６１ａの両方から等距離の位置である。
【０１００】
また、本実施形態において、基本動力伝達部はモータ出力軸８０２を有する。また、ルーバ動力伝達部は、ルーバクランク８０３、基本ルーバリンク８０７、リンクプレート８０８、第１〜第５右個別ルーバリンク８５１〜８５５、第１〜第５左個別ルーバリンク８６１〜８６５、第１〜第５右個別ルーバアーム８５１ａ〜８５５ａ、第１〜第５左個別ルーバアーム８６１ａ〜８６５ａ、第１〜第５右ルーバシャフト２５１〜２５５、第１〜第５左ルーバシャフト２６１〜２６５、を有する。また、フラップ動力伝達部は、伝達シャフト８０４、フラップクランク８０５、フラップリンク８０６を有する。
【０１０１】
また、図１４に示したグラフ図では、第１〜第５右ルーバ２５１ａ〜２５５ａのそれぞれを駆動するために必要なサーボモータ８０１のトルクは、隣同士において重なっている。このとき、重なったトルクの合計値が目標値Ｔｓｈよりも低い場合には、その各ルーバの駆動形態は、本実施形態に包含される。
【０１０２】
次に、図１５および図１６を参照しながら、本実施形態の他の駆動機構１４の構成について説明する。なお、図１６に示したグラフでは、説明の便宜上、グラフの頂上部分（すなわち、水平部分）の横軸方向の長さと比較して、グラフの傾斜部の横軸方向の長さを誇張して長く描いている。
図１５および図１６に関して説明する駆動機構１４においては、図７〜図１４に関して前述した駆動機構１４に対して、リンクプレート８０８の第１〜第５右ガイド溝８１１〜８１５および第１〜第５左ガイド溝８２１〜８２５の形状が異なる。
【０１０３】
具体的には、図１５に示すように、第１〜第５右摺動範囲８１１ａ〜８１５ａは、互いにずれており、同じ長さを有する。また、第１〜第５右ガイド溝８１１〜８１５が左位置から右位置へ変位する傾斜部は、上下方向に対して、互いに異なる傾斜角で延びている。第１〜第５右ガイド溝８１１〜８１５の左位置から右位置への変位量８１１ｃ，８１２ｃ，８１３ｃ，８１４ｃ，８１５ｃの比は、８１１ｃ：８１２ｃ：８１３ｃ：８１４ｃ：８１５ｃ＝ｓｉｎ１０°：ｓｉｎ２０°：ｓｉｎ３０°：ｓｉｎ４０°：ｓｉｎ５０°である。第１〜第５右摺動範囲８１１ａ〜８１５ａが互いに同じ長さを有するため、第１〜第５右ガイド溝８１１〜８１５が左位置から右位置へ変位する傾斜部の上下方向に対する傾斜角は、後側からみて反時計回りに、最も左側に配置された第１右ガイド溝８１１から最も右側に配置された第５右ガイド溝８１５へ向かって順に大きくなる。
【０１０４】
つまり、第１右ガイド溝８１１が左位置から右位置へ変位する傾斜部の上下方向に対する傾斜角８１１ｂは、第２〜第５右ガイド溝８１２〜８１５が左位置から右位置へ変位する傾斜部の上下方向に対する傾斜角８１２ｂ〜８１５ｂよりも小さい。第２右ガイド溝８１２が左位置から右位置へ変位する傾斜部の上下方向に対する傾斜角８１２ｂは、第３〜第５右ガイド溝８１３〜８１５が左位置から右位置へ変位する傾斜部の上下方向に対する傾斜角８１３ｂ〜８１５ｂよりも小さい。第３右ガイド溝８１３が左位置から右位置へ変位する傾斜部の上下方向に対する傾斜角８１３ｂは、第４〜第５右ガイド溝８１４〜８１５が左位置から右位置へ変位する傾斜部の上下方向に対する傾斜角８１４ｂ〜８１５ｂよりも小さい。第４右ガイド溝８１４が左位置から右位置へ変位する傾斜部の上下方向に対する傾斜角８１４ｂは、第５右ガイド溝８１５が左位置から右位置へ変位する傾斜部の上下方向に対する傾斜角８１５ｂよりも小さい。
【０１０５】
そのため、第１〜第５右個別ルーバリンク８５１〜８５５の前方側端部のそれぞれが、第１〜第５右ガイド溝８１１〜８１５の左位置から右位置へ変位する傾斜部を摺動するときの抵抗のピーク値は、互いに異なる。言い換えれば、図１６に示すように、第１〜第５右ルーバ２５１ａ〜２５５ａのそれぞれを駆動するために必要なサーボモータ８０１のトルクのピーク値は、互いに異なり、トルクの目標値Ｔｓｈよりも低い。例えば、トルクの目標値Ｔｓｈは、第１〜第５右ルーバ２５１ａ〜２５５ａを同時に駆動するときに必要なサーボモータ８０１のトルクのピーク値である。
【０１０６】
具体的には、第１右ルーバ２５１ａを駆動するために必要なサーボモータ８０１のトルクのピーク値Ｔ１は、第２〜第５右ルーバ２５２ａ〜２５５ａのそれぞれを駆動するために必要なサーボモータ８０１のトルクのピーク値Ｔ２〜Ｔ５よりも低い。第２右ルーバ２５２ａを駆動するために必要なサーボモータ８０１のトルクのピーク値Ｔ２は、第３〜第５右ルーバ２５３ａ〜２５５ａのそれぞれを駆動するために必要なサーボモータ８０１のトルクのピーク値Ｔ３〜Ｔ５よりも低い。第３右ルーバ２５３ａを駆動するために必要なサーボモータ８０１のトルクのピーク値Ｔ３は、第４〜第５右ルーバ２５３ａ〜２５５ａのそれぞれを駆動するために必要なサーボモータ８０１のトルクのピーク値Ｔ４〜Ｔ５よりも低い。第４右ルーバ２５４ａを駆動するために必要なサーボモータ８０１のトルクのピーク値Ｔ４は、第５右ルーバ２５５ａを駆動するために必要なサーボモータ８０１のトルクのピーク値Ｔ５よりも低い。
【０１０７】
また、図１５に示すように、第１〜第５左摺動範囲８２１ａ〜８２５ａは、互いにずれており、同じ長さを有する。また、第１〜第５左ガイド溝８２１〜８２５が右位置から左位置へ変位する傾斜部は、上下方向に対して、互いに異なる傾斜角で延びている。第１〜第５左ガイド溝８２１〜８２５の右位置から左位置への変位量８２１ｃ，８２２ｃ，８２３ｃ，８２４ｃ，８２５ｃの比は、８２１ｃ：８２２ｃ：８２３ｃ：８２４ｃ：８２５ｃ＝ｓｉｎ１０°：ｓｉｎ２０°：ｓｉｎ３０°：ｓｉｎ４０°：ｓｉｎ５０°である。第１〜第５左摺動範囲８２１ａ〜８２５ａが互いに同じ長さを有するため、第１〜第５左ガイド溝８２１〜８２５が右位置から左位置へ変位する傾斜部の上下方向に対する傾斜角は、後側からみて時計回りに、最も右側に配置された第１左ガイド溝８２１から最も左側に配置された第５左ガイド溝８２５へ向かって順に大きくなる。
つまり、第１左ガイド溝８２１が右位置から左位置へ変位する傾斜部の上下方向に対する傾斜角８２１ｂは、第２〜第５左ガイド溝８２２〜８２５が右位置から左位置へ変位する傾斜部の上下方向に対する傾斜角８２２ｂ〜８２５ｂよりも小さい。第２左ガイド溝８２２が右位置から左位置へ変位する傾斜部の上下方向に対する傾斜角８２２ｂは、第３〜第５左ガイド溝８２３〜８２５が右位置から左位置へ変位する傾斜部の上下方向に対する傾斜角８２３ｂ〜８２５ｂよりも小さい。第３左ガイド溝８２３が右位置から左位置へ変位する傾斜部の上下方向に対する傾斜角８２３ｂは、第４〜第５左ガイド溝８２４〜８２５が右位置から左位置へ変位する傾斜部の上下方向に対する傾斜角８２４ｂ〜８２５ｂよりも小さい。第４左ガイド溝８２４が右位置から左位置へ変位する傾斜部の上下方向に対する傾斜角８２４ｂは、第５左ガイド溝８２５が右位置から左位置へ変位する傾斜部の上下方向に対する傾斜角８２５ｂよりも小さい。
【０１０８】
そのため、第１〜第５左個別ルーバリンク８６１〜８６５の前方側端部のそれぞれが、第１〜第５左ガイド溝８２１〜８２５の右位置から左位置へ変位する傾斜部を摺動するときの抵抗のピーク値は、互いに異なる。言い換えれば、図１６に示すように、第１〜第５左ルーバ２６１ａ〜２６５ａのそれぞれを駆動するために必要なサーボモータ８０１のトルクのピーク値は、互いに異なり、トルクの目標値Ｔｓｈよりも低い。例えば、トルクの目標値Ｔｓｈは、第１〜第５左ルーバ２６１ａ〜２６５ａを同時に駆動するときに必要なサーボモータ８０１のトルクのピーク値である。
【０１０９】
具体的には、第１左ルーバ２６１ａを駆動するために必要なサーボモータ８０１のトルクのピーク値Ｔ１は、第２〜第５左ルーバ２６２ａ〜２６５ａのそれぞれを駆動するために必要なサーボモータ８０１のトルクのピーク値Ｔ２〜Ｔ５よりも低い。第２左ルーバ２６２ａを駆動するために必要なサーボモータ８０１のトルクのピーク値Ｔ２は、第３〜第５左ルーバ２６３ａ〜２６５ａのそれぞれを駆動するために必要なサーボモータ８０１のトルクのピーク値Ｔ３〜Ｔ５よりも低い。第３左ルーバ２６３ａを駆動するために必要なサーボモータ８０１のトルクのピーク値Ｔ３は、第４〜第５左ルーバ２６３ａ〜２６５ａのそれぞれを駆動するために必要なサーボモータ８０１のトルクのピーク値Ｔ４〜Ｔ５よりも低い。第４左ルーバ２６４ａを駆動するために必要なサーボモータ８０１のトルクのピーク値Ｔ４は、第５左ルーバ２６５ａを駆動するために必要なサーボモータ８０１のトルクのピーク値Ｔ５よりも低い。
【０１１０】
あるいは、図９および図１５に示すように、第１〜第５右ガイド溝８１１〜８１５が第１〜第５左ガイド溝８２１〜８２５と左右対称に配置されている場合には、図１６に示すように、第１右ルーバ２５１ａおよび第１左ルーバ２６１ａ、第２右ルーバ２５２ａおよび第２左ルーバ２６２ａ、第３右ルーバ２５３ａおよび第３左ルーバ２６３ａ、第４右ルーバ２５４ａおよび第４左ルーバ２６４ａ、ならびに第５右ルーバ２５５ａおよび第５左ルーバ２６５ａを駆動するために必要なサーボモータ８０１のトルクのピーク値Ｔは、互いに同じであり、トルクの目標値Ｔｓｈよりも低い。例えば、トルクの目標値Ｔｓｈは、第１〜第５右ルーバ２５１ａ〜２５５ａおよび第１〜第５左ルーバ２６１ａ〜２６５ａを同時に駆動するときに必要なサーボモータ８０１のトルクのピーク値である。
【０１１１】
本実施形態によれば、第１〜第５右ルーバ２５１ａ〜２５５ａおよび第１〜第５左ルーバ２６１ａ〜２６５ａを駆動するために必要なトルクを低減することができるとともに、第１〜第５右ルーバ２５１ａ〜２５５ａおよび第１〜第５左ルーバ２６１ａ〜２６５ａのすべてのルーバを駆動するときに必要なサーボモータ８０１のトルクのピーク値の合計を抑えることができる。また、車両用空気吹き出し装置１０の小型化および駆動可能なルーバの数については、図７〜図１４に関して前述した駆動機構１４と同じ効果が得られる。
【０１１２】
なお、第１〜第５右ルーバ２５１ａ〜２５５ａおよび第１〜第５左ルーバ２６１ａ〜２６５ａを駆動するときに必要なサーボモータ８０１のトルクのピーク値のそれぞれの時間ｔは、互いに同じであり、例えば約約１．７秒間程度である。なお、これらのトルクのピーク値の時間は、一例であり、前述した時間には限定されない。
【０１１３】
また、図１６に示したグラフ図では、第１〜第５右ルーバ２５１ａ〜２５５ａのそれぞれを駆動するために必要なサーボモータ８０１のトルクは、隣同士において重なっている。このとき、重なったトルクの合計値が目標値Ｔｓｈよりも低い場合には、その各ルーバの駆動形態は、本実施形態に包含される。
【０１１４】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。特に、ある量について複数個の値が例示されている場合、特に別記した場合および原理的に明らかに不可能な場合を除き、それら複数個の値の間の値を採用することも可能である。また、上記各実施形態において、構成要素等の形状、位置関係等に言及するときは、特に明示した場合および原理的に特定の形状、位置関係等に限定される場合等を除き、その形状、位置関係等に限定されるものではない。また、本発明は、上記各実施形態に対する以下のような変形例も許容される。なお、以下の変形例は、それぞれ独立に、上記実施形態に適用および不適用を選択できる。すなわち、以下の変形例のうち任意の組み合わせを、上記実施形態に適用することができる。
【０１１５】
（変形例１）
上記実施形態では、ルーバの数は全部で１０個であったが、右ルーバが少なくとも１個あり、かつ、左ルーバが少なくとも１個あれば、ルーバの総数はどのようになっていてもよい。
【０１１６】
（変形例２）
上記実施形態では、駆動機構は単一のアクチュエータとしてサーボモータ８０１を用いている。しかし、必ずしもこのようになっておらずともよい。例えば、駆動機構は、ルーバ１つにつき１つのアクチュエータを備えていてもよい。
【０１１７】
（変形例３）
上記実施形態では、デフロストモード以外のモードとしてフェイスモード及び循環風モードを例示しているが、デフロストモード以外のモードはフェイスモード及び循環風モード以外のモード、例えば、アッパーベントモードであってもよい。アッパーベントモードは、フェイスモード時よりも上方に向けて空気を吹き出し、後席乗員に送風するモードである。
【０１１８】
（変形例４）
上記実施形態では、フラップ１２は、デフロストモード時には、フラップシャフト２２７の回転中心から、上下方向に対して、左側から見て時計回りに４５°の傾斜角で延びる姿勢に制御されている。しかし、デフロストモードにおけるフラップ１２の姿勢は、必ずしもこのようなものに限られない。例えば、フラップ１２は、デフロストモード時には、フラップシャフト２２７の回転中心から、上下方向に対して０°の傾斜角で延びる姿勢に制御されていてもよいし、左側から見て時計回りに０°より大きく４５°未満の傾斜角で延びる姿勢に制御されていてもよい。
【０１１９】
（変形例５）
上記実施形態では、モータ出力軸８０２からルーバクランク８０３に動力が伝達されてルーバクランク８０３が回転し、ルーバクランク８０３の回転に応じて基本ルーバリンク８０７が変位することでリンクプレート８０８が上下に移動するようになっている。しかし、リンクプレート８０８の上下移動は、別の機構で実現されていてもよい。例えば、リンクプレート８０８の前方側の面に歯が形成され、このリンクプレート８０８の歯と噛み合う平歯車が配置され、この平歯車にモータ出力軸８０２から動力が伝達されるようになっていてもよい。このようになっていることで、モータ出力軸８０２の正回転、逆回転に応じてリンクプレート８０８が上下に移動する。
【符号の説明】
【０１２０】
１１：ケーシング
１２：フラップ
１４：駆動機構
２０：車両用空調装置
２５１ａ〜２５５ａ、２６１ａ〜２６５ａ：ルーバ
８０１：モータ
８０８：リンクプレート
８１１〜８１５、８２１〜８２５：ガイド溝
８５１〜８５５、８６１〜８６５：個別ルーバリンク
【図１】
0006500806.tif 000002
【図２】
0006500806.tif 000003
【図３】
0006500806.tif 000004
【図４】
0006500806.tif 000005
【図５】
0006500806.tif 000006
【図６】
0006500806.tif 000007
【図７】
0006500806.tif 000008
【図８】
0006500806.tif 000009
【図９】
0006500806.tif 000010
【図１０】
0006500806.tif 000011
【図１１】
0006500806.tif 000012
【図１２】
0006500806.tif 000013
【図１３】
0006500806.tif 000014
【図１４】
0006500806.tif 000015
【図１５】
0006500806.tif 000016
【図１６】
0006500806.tif 000017